(57)【特許請求の範囲】
【請求項１】
かご室と、前記かご室外面に斜めに設けられた筋かい棒と、前記筋かい棒端部に昇降路内に設置される部品が引掛ることを防止するエレベータの部品引掛り防止装置と、を備えたエレベータの乗りかごにおいて、
前記部品引掛り防止装置は、
前記かご室外面に設けられ、前記筋かい棒の端部を覆うカバーと、
前記カバーに固定され、前記カバーとの間で前記筋かい棒の端部近傍部分を挟む締結用金具と、を有することを特徴とするエレベータの乗りかご。
【請求項２】
前記部品引掛り防止装置の前記カバーは、ハの字状に形成された２つの長穴を有し、前記締結用金具は、前記長穴に各々挿入された締結部材により前記カバーに固定されていることを特徴とする請求項１に記載のエレベータの乗りかご。
【請求項３】
かご室と、前記かご室外面に斜めに設けられた筋かい棒と、前記筋かい棒端部に昇降路内に設置される部品が引掛ることを防止するエレベータの部品引掛り防止装置と、を備えたエレベータの乗りかごにおいて、
前記部品引掛り防止装置は、
前記筋かい棒の端部に取付けられ、一端に前記筋かい棒を挿入する円形穴が形成されたプレートを有し、
前記プレートの他端は、前記かご室の内側を向いていることを特徴とするエレベータの乗りかご。
【発明の詳細な説明】
【技術分野】
【０００１】
本発明は、エレベータの昇降路内において、ロープ類やケーブル等の長尺物（部品）がかご室外面に斜めに設けられた筋かい棒端部に引掛かることを防止することができるエレベータの乗りかごに関する。また本発明は、エレベータの昇降路内において、ロープ類やケーブル等の長尺物（部品）が昇降路内壁に設けられたビームに引掛かることを防止することができるエレベータの部品引掛り防止装置に関する。
【背景技術】
【０００２】
図５は、エレベータの全体構成を示す概略図である。図５に示すように、エレベータの昇降路１上部の機械室２には巻上機（図示せず）が設置されており、この巻上機のメインシーブ３に吊り下げられたメインロープ４の一端には乗りかご５が懸架されている。一方、メインロープ４の他端にはつり合いおもり６が懸架されている。また、乗りかご５、および、つり合いおもり６の下側には、メインロープ４の重量が乗りかご５の位置により変化することを打ち消すために、昇降路１下部に設けられたコンペンシーブ７を介してコンペンロープ８が取付けられている。さらに乗りかご５の下端に、給電や制御信号授受のためのケーブル９が吊り下げられている。
【０００３】
一方、ケーブル９背面側の昇降路１内壁に建屋ビーム１０が設けられている。またケーブル９と建屋ビーム１０との間に、乗りかご５の昇降に伴って移動するケーブル９を保護するための保護金網１１が設けられている。
【０００４】
次に、図６を用いて乗りかご５の構成の概略を説明する。図６に示すように、乗りかご５は、中心部に設けられた縦枠１２と、縦枠１２の上端に取付けられた上梁（図示せず）と、縦枠１２の下端において上梁と対を成して設けられた下梁１３とを有している。また縦枠１２および下梁１３に水平方向に床受け枠１４が取付けられている。更に床受け枠１４の上部に防振ゴム部材１５を介してかご床１６が設けられ、かご床１６上にかご室１７が設置されている。さらに縦枠１２と床受け枠１４との形状を維持するため、縦枠１２の中央部近傍と床受け枠１４の端部近傍との間に筋かい棒１８が配置されている。
【０００５】
一方、図７（ａ）（ｂ）にケーブルの保護金網１１が示されている。なお図７（ａ）は、保護金網１１を示す正面図であり、図７（ｂ）は、保護金網１１を示す上面図である。図７（ａ）（ｂ）において、乗りかご５の昇降を案内するガイドレール１９に、レールクリップ２０を介してサポート部材２１が取付けられている。またサポート部材２１前面にプレート２２が設けられ、保護金網１１は、サポート部材２１とプレート２２とにより挟み込むように取付けられている。なお、本願発明に関連する技術として、特許文献１に記載されたものが知られている。
【特許文献１】特公平７−５５７７６号公報
【発明の開示】
【発明が解決しようとする課題】
【０００６】
このような従来のエレベータにおいて、地震や強風などにより建造物に異常な揺れが生じる場合がある。このような場合、建造物の昇降路内に設けられたロープ類やケーブルが揺れて昇降路内の機器の突出部に引掛ることを防止するため、「昇降機耐震設計・施工指針」に従って対策が施されている。この「昇降機耐震設計・施工指針」によれば、昇降路内の機器の突出部にロープ類やケーブルが引掛ることを防止するための措置として、主にロープ類やケーブルがレールブラケットへ引掛ることを防止するための保護線を設けること、ケーブルが乗場の敷居へ引掛ることを防止するための保護線を設けること、あるいは調速機のロープやスチールテープが戻り側に振れることを防止するための振れ止め措置を講じること等が挙げられている。
【０００７】
しかしながら、上述した引掛り防止措置は、昇降路側の突起物に対して引掛りを防止するためのものであるが、一方でロープ類やケーブルが乗りかご側に引掛ることも考えられる。とりわけ、筋かい棒１８の下端１８ａ（図６）にロープ類やケーブルが引掛ることが懸念される。このため、新規に設置されるエレベータに関しては、筋かい棒１８の下端１８ａを覆うカバー等を予め設けることも考えられる。
【０００８】
しかしながら、すでに設置されているエレベータの筋かい棒１８にこのようなカバーを取付ける場合、取付け穴の加工等を現地で行なう必要がある。したがって、このようなカバーを追加で取付けることは作業性が必ずしも良くない。また、筋かい棒１８の床受け枠１４に対する傾斜角は乗りかご５の大きさにより異なるため、現地加工することなく筋かい棒１８に取付けられるカバーを製作しようとすると、カバーの種類が増えてしまう。
【０００９】
他方、ビーム１０にケーブル９が引掛ることを防止するため、上述したように、保護金網１１が設置されている（図７（ａ）（ｂ））。しかしながら、図７（ｂ）に示すように、保護金網１１の端部１１ａは、複数の山型形状部分が連なった形状を有している。このため、ケーブル９が揺れた際、ケーブル９が保護金網１１の端部１１ａの山型形状部分に引掛り、その後乗りかご５が昇降することにより、ケーブル９が保護金網１１の端部１１ａを引きずられてケーブル９を損傷するおそれがある。
【００１０】
本発明はこのような点を考慮してなされたものであり、加工等を行なうことなく既設の筋かい棒へ容易に取付けることができる部品引掛り防止装置を備えたエレベータの乗りかご、およびケーブル保護金網の端部にケーブル等が引掛らないようにするためのエレベータの部品引掛り防止装置を提供することを目的とする。
【課題を解決するための手段】
【００１１】
本発明は、かご室と、前記かご室外面に斜めに設けられた筋かい棒と、前記筋かい棒端部に昇降路内に設置される部品が引掛ることを防止するエレベータの部品引掛り防止装置と、を備えたエレベータの乗りかごにおいて、前記部品引掛り防止装置は、前記かご室外面に設けられ、前記筋かい棒の端部を覆うカバーと、前記カバーに固定され、前記カバーとの間で前記筋かい棒の端部近傍部分を挟む締結用金具と、を有することを特徴とするエレベータの乗りかごである。
【００１２】
本発明は、前記部品引掛り防止装置の前記カバーは、ハの字状に形成された２つの長穴を有し、前記締結用金具は、前記長穴に各々挿入された締結部材により前記カバーに固定されていることを特徴とするエレベータの乗りかごである。
【００１３】
本発明は、かご室と、前記かご室外面に斜めに設けられた筋かい棒と、前記筋かい棒端部に昇降路内に設置される部品が引掛ることを防止するエレベータの部品引掛り防止装置と、を備えたエレベータの乗りかごにおいて、前記部品引掛り防止装置は、前記筋かい棒の端部に取付けられ、一端に前記筋かい棒を挿入する円形穴が形成されたプレートを有し、前記プレートの他端は、前記かご室の内側を向いていることを特徴とするエレベータの乗りかごである。
【発明の効果】
【００１５】
本発明によれば、カバーにより筋かい棒の端部が覆われているので、昇降路内のケーブル等の長尺物（部品）が筋かい棒に引掛ることを防止することができる。
【００１６】
また、本発明によれば、筋かい棒の端部を覆うカバーと、カバーに固定された締結用金具とにより筋かい棒の端部近傍を挟む構成となっているので、取付け穴の穴開け加工等を現地で行なう必要がなく、部品引掛り防止装置を既設のエレベータの筋かい棒に容易に取り付けることができる。
【００１７】
さらに、本発明によれば、カバーはハの字状に形成された２つの長穴を有し、かつ締結用金具は長穴に各々挿入された締結部材によりカバーに固定されるので、筋かい棒の傾斜角に関係なく、部品引掛り防止装置を既設のエレベータの筋かい棒に取り付けることができる。
【００１８】
さらにまた、本発明によれば、筋かい棒の端部に取付けられたプレートにより、昇降路内のケーブル等の長尺物が筋かい棒に引掛ることを防止することができる。
【００１９】
さらにまた、本発明によれば、保護金網の横側端部に沿って保護線または保護板が張設されているので、保護金網の端部にケーブル等の長尺物が引掛ることを防止することができる。
【発明を実施するための最良の形態】
【００２０】
第１の実施の形態
以下、本発明の第１の実施の形態について、図１（ａ）（ｂ）を参照して説明する。
【００２１】
ここで、図１（ａ）は、本発明の第１の実施の形態を示す正面図であり、図１（ｂ）は、図１（ａ）のＡ−Ａ矢視図である。
図１（ａ）（ｂ）に示す第１の実施の形態は、従来のエレベータの構成に新たな構成を付加したものであり、他の構成は上述した従来技術と同一である。図１（ａ）（ｂ）において、図５乃至図６に示す従来技術と同一部分には同一の符号を付して詳細な説明は省略する。
【００２２】
まず、図１（ａ）（ｂ）により本実施の形態によるエレベータの乗りかごの概略について説明する。
図１（ａ）（ｂ）において、エレベータの乗りかご５は、かご室１７と、かご室１７外面に斜めに設けられた筋かい棒１８と、筋かい棒１８の下端（端部）１８ａに昇降路１内に設置される長尺物等の部品（例えばコンペンロープ８やケーブル９）が引掛ることを防止するエレベータの部品引掛り防止装置５０とを備えている。
【００２３】
このうちエレベータの部品引掛り防止装置５０は、かご室１７外面に設けられ、筋かい棒１８の下端１８ａを覆うカバー３１と、カバー３１に固定され、カバー３１との間で筋かい棒１８の下端１８ａ近傍部分を挟む締結用金具３０とを有している。
【００２４】
このうちカバー３１は、図１（ｂ）に示すように、一端３１ｂが内方（床受け枠１４側）に曲げられた断面略Ｌ字形状を有している。またカバー３１は締結穴３１ａを有し、締結用金具３０は、締結穴３１ａ内に挿入された締結部材（ボルト）３２を介してカバー３１に固定されている。このようにして、カバー３１および締結用金具３０は、筋かい棒１８の下端１８ａ近傍において十分固定される。
【００２５】
一方、床受け枠１４下面に取付部材３９が固定され、更に取付部材３９の側面に円筒の筒状体４０が固定されている。また筋かい棒１８の下端１８ａは、筒状体４０内に挿入されている。筋かい棒１８の下端１８ａにはねじ部１８ｂが形成され、筒状体４０の下部においてねじ部１８ｂにナット４２が締結されている。これにより筋かい棒１８の下端１８ａが筒状体４０から上方へ抜けないようになっている。また図１（ａ）に示すように、締結用金具３０は、筒状体４０上部の位置でカバー３１に固定されている。
【００２６】
次に、このような構成からなる部品引掛り防止装置５０を筋かい棒１８に取付ける際の作用について述べる。
【００２７】
図１（ａ）（ｂ）において、まず取付部材３９の下方に突出した筋かい棒１８の下端１８ａを覆うように外方からカバー３１を配置する。次に、筒状体４０上方の筋かい棒１８と床受け枠１４との間に、締結用金具３０を配置する。次に、締結部材３２をカバー３１の締結穴３１ａ内に挿入し、締結部材３２を十分締め込むことにより、締結用金具３０とカバー３１とを固定する。
【００２８】
このように、本実施の形態によれば、カバー３１により筋かい棒１８の下端１８ａが覆われているので、昇降路１内のコンペンロープ８やケーブル９等の長尺物が筋かい棒１８の下端１８ａに引掛ることを防止することができる。
【００２９】
また、本実施の形態によれば、筋かい棒１８の下端１８ａを覆うカバー３１とカバー３１に固定された締結用金具３０とにより、筋かい棒１８の下端１８ａ近傍を挟む構成となっているので、取付け穴の穴開け加工等を現地で行なうことなく、部品引掛り防止装置５０を既設のエレベータの筋かい棒１８にも容易に取り付けることができる。
【００３０】
第２の実施の形態
次に、本発明の第２の実施の形態について、図２（ａ）（ｂ）を参照して説明する。
ここで、図２（ａ）は、本発明の第２の実施の形態を示す正面図であり、図２（ｂ）は、図２（ａ）のＢ−Ｂ矢視図である。
図２（ａ）（ｂ）に示す第２の実施の形態は、カバー３１Ａの構成が異なるものであり、他の構成は上述した第１の実施の形態と略同一である。図２（ａ）（ｂ）において、図１（ａ）（ｂ）に示す第１の実施の形態と同一部分には同一の符号を付して詳細な説明は省略する。
【００３１】
まず、図２（ａ）（ｂ）により本実施の形態によるエレベータの乗りかごの概略について説明する。
図２（ａ）（ｂ）に示すように、乗りかご５の部品引掛り防止装置５０のカバー３１は、ハの字状に形成された２つの長穴３１ｃ、３１ｃを有している。また、部品引掛り防止装置５０の締結用金具３０は、長穴３１ｃ、３１ｃに各々挿入された締結部材（ボルト）３２によりカバー３１に固定されている。
【００３２】
このように、本実施の形態によれば、筋かい棒１８の傾斜角に関係なく、部品引掛り防止装置５０を既設のエレベータの筋かい棒１８にも取り付けることができる。すなわち図２（ａ）において、筋かい棒１８の位置が、二点鎖線で示す位置にある場合であっても、実線で示す位置にある場合であっても、いずれもカバー３１を筋かい棒１８の下端１８ａを覆うように取付けることができる。
【００３３】
第３の実施の形態
次に、本発明の第３の実施の形態について、図３（ａ）−（ｄ）を参照して説明する。
ここで、図３（ａ）は、本発明の第３の実施の形態を示す斜視図であり、図３（ｂ）は、本発明の第３の実施の形態を示す正面図である。また図３（ｃ）は、本発明の第３の実施の形態を示す左側面図であり、図３（ｄ）は、本発明の第３の実施の形態を示す底面図である。
図３（ａ）−（ｄ）に示す第３の実施の形態は、部品引掛り防止装置５０がプレート３５を有している点が異なるものであり、他の構成は上述した第１の実施の形態と同一である。図３（ａ）−（ｄ）において、図１（ａ）（ｂ）に示す第１の実施の形態および図５乃至図６に示す従来技術と同一部分には同一の符号を付して詳細な説明は省略する。
【００３４】
まず、図３（ａ）−（ｄ）により本実施の形態によるエレベータの乗りかごの概略について説明する。
図３（ａ）−（ｄ）に示すように、エレベータの乗りかご５は、かご室１７と、かご室１７外面に斜めに設けられた筋かい棒１８と、筋かい棒１８の下端（端部）１８ａに昇降路１内に設置される長尺物等の部品（例えばコンペンロープ８やケーブル９）が引掛ることを防止するエレベータの部品引掛り防止装置５０とを備えている。
【００３５】
このうちエレベータの部品引掛り防止装置５０は、筋かい棒１８の下端１８ａに取付けられた略長方形形状の細長いプレート３５を有している。またプレート３５の一端３５ａに、筋かい棒１８を挿入する円形穴３５Ａが形成されている。他方、プレート３５の他端３５ｂは、かご室１７の内側を向いている。
【００３６】
このような部品引掛り防止装置５０を筋かい棒１８に取付ける場合、まず筋かい棒１８のねじ部１８ｂにナット３６をねじ込む。次に、筋かい棒１８の下端１８ａにプレート３５を取付ける。この際、プレート３５の円形穴３５Ａ内に筋かい棒１８の下端１８ａを挿入し、プレート３５の他端３５ｂをかご室１７の内側に向けた状態で下方から追加のナット３６をねじ込む。その後、上下からナット３６を締め付けることにより、プレート３５を筋かい棒１８の下端１８ａに固定する。
【００３７】
このように、本実施の形態によれば、筋かい棒１８の下端１８ａに取付けられたプレート３５により、昇降路１内のコンペンロープ８やケーブル９等の長尺物が筋かい棒１８の下端１８ａに引掛ることを防止することができる。すなわち、このような長尺物が筋かい棒１８の下端１８ａに回り込んだ際、長尺物はプレート３５下面に沿って動くが、プレート３５の他端３５ｂまで達することなく元の位置に戻るので、筋かい棒１８の下端１８ａに引掛ることがない。
【００３８】
また、本実施の形態によれば、取付け穴の穴開け加工等を現地で行なうことなく、また筋かい棒１８の傾斜角に関係なく、部品引掛り防止装置５０を既設のエレベータの筋かい棒１８にも取り付けることができる。
【００３９】
第４の実施の形態
次に、本発明の第４の実施の形態について、図４（ａ）（ｂ）を参照して説明する。
ここで、図４（ａ）は、本発明の第４の実施の形態を示す斜視図であり、図４（ｂ）は、本発明の第４の実施の形態を示す正面図である。
図４（ａ）（ｂ）に示す第４の実施の形態は、従来のエレベータの構成に新たな構成を付加したものであり、他の構成は上述した従来技術と同一である。図４（ａ）（ｂ）において、図７（ａ）（ｂ）に示す従来技術と同一部分には同一の符号を付して詳細な説明は省略する。
【００４０】
まず、図４（ａ）（ｂ）により本実施の形態によるエレベータの部品引掛り防止装置の概略について説明する。
図４（ａ）（ｂ）において、エレベータの部品引掛り防止装置５０は、エレベータの昇降路１内壁に設けられた中間ビーム等のビーム１０（図５参照）を覆う保護金網１１の横側端部１１ａに、昇降路１内に設置される長尺物等の部品（例えばコンペンロープ８やケーブル９）が引掛ることを防止するものである。なお、保護金網１１は昇降路１の縦方向に沿って設置され、保護金網１１の横側端部１１ａは、複数の山型形状部分が連なった形状からなっている。
【００４１】
図４（ａ）（ｂ）に示すように、このエレベータの部品引掛り防止装置５０は、保護金網１１の横側端部１１ａに沿って張設された保護線または保護板３７を備えている。この保護線（保護板）３７は、保護金網１１の横側端部１１ａに樹脂製の結束バンド等からなる固定部材３８により固定されている。
【００４２】
このように、本実施の形態によれば、保護金網１１の横側端部１１ａに沿って保護線（保護板）３７が張設されているので、保護金網１１の端部１１ａにケーブル９等の長尺物が引掛らないようにすることができる。すなわち、地震や強風等の異常な揺れにより、仮にエレベータのケーブル９が揺れて保護金網１１の端部１１ａ側に回り込んだとしても、ケーブル９が保護金網１１の端部１１ａの山型形状部分に引掛ることなく元に戻るようになっている。
【図面の簡単な説明】
【００４３】
【図１】本発明の第１の実施の形態を示す図。
【図２】本発明の第２の実施の形態を示す図。
【図３】本発明の第３の実施の形態を示す図。
【図４】本発明の第４の実施の形態を示す図。
【図５】エレベータの全体構成を示す概略図。
【図６】乗りかごの構成を示す概略図。
【図７】ケーブルの保護金網を示す図。
【符号の説明】
【００４４】
１      昇降路
５      乗りかご
８      コンペンロープ
９      ケーブル
１０    ビーム
１１    保護金網
１４    床受け枠
１６    かご床
１７    かご室
１８    筋かい棒
１９    ガイドレール
３０    締結用金具
３１    カバー
３１ａ  締結穴
３１ｃ  長穴
３２    締結部材（ボルト）
３５    プレート
３５Ａ  円形穴
３７    保護線（保護板）
５０    部品引掛り防止装置
【図１】
0005071970.tif 000002
【図２】
0005071970.tif 000003
【図３】
0005071970.tif 000004
【図４】
0005071970.tif 000005
【図５】
0005071970.tif 000006
【図６】
0005071970.tif 000007
【図７】
0005071970.tif 000008